(57)【要約】【課題】本発明は、痴呆等である被介護者を担当する医師と、前記被介護者を介護する家族や介護ヘルパー等の介護者を支援するための在宅介護システムに関する発明である。【解決手段】そこで、上記の課題を解決するために、インターネットに接続したサーバーと、前記インターネットを介して前記サーバーに接続し、医師が指定した一定の間隔で画像データ等を自動送信する専用プログラム、測定機器等を備えた介護者側ＰＣと、前記インターネットを介して前記サーバーに接続し、介護者ＰＣから自動送信された画像データに、キーボード等で医師のメッセージを入力し、前記介護者側ＰＣに再度自動送信できる医師側ＰＣとからなることを特徴とする在宅介護システムの構成とした。【選択図】  図１
2004318757.tif 000002
【特許請求の範囲】
【請求項１】
インターネットに接続したサーバーと、前記インターネットを介して前記サーバーに接続し、医師が指定した一定の間隔で画像データ等を自動送信する専用プログラム、測定機器等を備えた介護者側ＰＣと、前記インターネットを介して前記サーバーに接続し、介護者ＰＣから自動送信された画像データにキーボード等で医師のメッセージを入力し、メッセージを入力した後に前記介護者側ＰＣに再度自動送信できる医師側ＰＣとからなることを特徴とする在宅介護システム。
【請求項２】
介護者ＰＣは、被介護者を撮影することで画像データ等を取得できるカメラ、介護者が前記カメラ等を手動操作等できる入力装置、前記カメラ等で撮影できない被介護者の体の内部の状態を監視する測定機器を備えたことを特徴とする請求項１項に記載した在宅介護システム。
【請求項３】
測定機器は、介護者側ＰＣに接続しカメラ等で撮影できない被介護者の体の内部の状態を監視できる機器で、被介護者の体に直接取り付ける場合の第１測定機器及び第２測定器と、被介護者の体に直接取り付けない場合の第３測定機器を備えたことを特徴とする請求項１又は請求項２に記載した在宅介護システム。
【請求項４】
測定機器を構成する第１測定器は、被介護者の失禁等を感知するために被介護者のオムツへ取り付けるオムツの湿度センサー、前記オムツ等の被介護者の衣服等へ取付け、被介護者の徘徊を防止すると共に、現在位置を知らせる人体感知センサーを備えたことを特徴とする請求項３に記載の在宅介護システム。
【請求項５】
測定機器を構成する第２測定器とは、特に疾病を持つ被介護者の体に取り付ける測定機器で、被介護者の腕等に取り付け脈拍等を調べる血圧計、前記血圧計の使用と併せて使用し、被介護者の皮膚表面に取り付け血管中の酸素濃度を調べる酸素分圧計、前記酸素分圧計と併せて使用し、被介護者の血管中の血糖値を調べる検査機器である血糖測定器等を備えたことを特徴とする請求項３に記載した在宅介護システム。
【請求項６】
測定機器を構成する第３測定器は、痴呆症の被介護者の屋外への徘徊を防止し、被介護者宅の玄関のドア部分に取付ける開閉感知センサー、前記開閉感知センサーと併せて被介護者宅の玄関のドアの上部や屋内の天井の四隅に設け、家族である介護者が外出した際に被介護者が屋外へ徘徊することを監視する赤外線センサーを備えたことを特徴とする請求項３に記載した在宅介護システム。
【請求項７】
サーバーは、通信相手である介護者側ＰＣ等の台数を制限でき、介護者側ＰＣに専用プログラムを使用させることで、医師が指定した一定の時間に自動送信された画像データ等を受信でき、前記専用プログラムを使用してサーバーは画像を受信することで、インターネット上で画像データ等の授受に関わるセキュリティーを固めることができることを特徴とした請求項１、請求項２、請求項３、請求項４、請求項５又は請求項６に記載した在宅介護システム。
【発明の詳細な説明】
【０００１】
【発明が属する技術分野】
本発明は、痴呆等である被介護者を担当する医師と、前記被介護者を介護する家族や介護ヘルパー等の介護者を支援するための在宅介護システムに関する発明である。
【０００２】
【従来の技術】
従来の在宅介護システムは、特開２００３−２２３２１号の「在宅医療専門ソフトウェア」等がある。従来の在宅介護システムは、各診療所からクライアント端末上のＷｅｂブラウザを用いて患者の情報を取得し、一方医師から携帯電話上のコンパクトＨＴＭＬ用のＷｅｂブラウザを用いて患者の情報を取得し、該患者情報をＳＳＬサーバー用のソフトウェアにより暗号化してインターネット経由で取得することを特徴とする在宅医療用ソフトウェアーであった。
【０００３】
また、在宅介護は、痴呆等の病気を持つ老人、徘徊する老人（以下、被介護者という）の家族等が終日自宅で付き添い介護を行う終日介護方法や、家族等から介護の要請を受けた介護ヘルパー等（以下、介護者という）が、被介護者の自宅を訪問し、訪問内容や被介護者の様子を管理者である医師等に口頭や書類で報告してから医師等は、先の介護者の口頭や書類の報告に基づいて、被介護者のおむつを交換する等の適切な処置（以下、介護指示という）したり、直接医師自らが訪問する訪問介護方法がある。
【０００４】
【発明が解決しようとする課題】
しかしながら、従来の「在宅医療専門ソフトウェアー」は、Ｗｅｂブラウザを用いて患者情報を取得し、医師と被介護者や介護者と患者情報を書き込んだ記録帳として保存するだけであり、被介護者を監視していなかった。
【０００５】
また従来の在宅介護である終日介護方法、訪問介護方法は、いずれとも被介護者の家族や介護ヘルパー等の介護者の報告を受けてから医師が介護指示等を行い、被介護者の容態が急変した場合のみ医師が直接訪問し訪問介護を行っていた。よって医師の診断の遅れを生じさせ、また、容態が急変しそうな被介護者の表情や体の状態等が常に解らないため、被介護者の症状悪化を招くという極めて深刻な問題があった。
【０００６】
さらに被介護者の家族等は、終日被介護者を介護するために多大な精神的負担を負い、また専属の介護ヘルパーを依頼する場合や介護施設に入れる場合には、高い介護費用を支払わなければならないという大きな問題があった。
【０００７】
そこで、本発明は、被介護者の記録帳としての保存のみならず、被介護者を常時監視できるとともに、介護ヘルパー等の介護者等の口頭又は書類報告を受けてから、医師等の管理者が介護指示を行うことなく、被介護者の容態が急変しそうな場合でも即座に表情や体の状態を監視でき、被介護者の家族等である介護者等の精神的な負担を軽減でき、専属の介護ヘルパーを依頼することなく、被介護者の介護費用を大幅に軽減できる在宅介護システムを提供することを目的とするものである。
【０００８】
【課題を解決するための手段】
そこで、本システムは、上記の課題を解決するために、インターネットに接続したサーバーと、前記インターネットを介して前記サーバーに接続し、医師が指定した一定の間隔で画像データ等を自動送信する専用プログラム、測定機器等を備えた介護者側ＰＣと、前記インターネットを介して前記サーバーに接続し、介護者ＰＣから自動送信された画像データに、キーボード等で医師のメッセージを入力し、前記介護者側ＰＣに再度自動送信できる医師側ＰＣとからなることを特徴とする在宅介護システムの構成とした。
【０００９】
【実施例】
以下、添付図面に基づき、本発明である在宅介護システムの詳細を説明する。図１は本発明である在宅介護システムを構成する構成機器を示した構成図であり、図２は本発明である在宅介護システムを構成するシステムのフローを示したフローチャートである。
【００１０】
図１に示したように、本発明である在宅介護システム１は、インターネット３の２４時間常時接続を介して接続したサーバー２と、前記サーバー２に接続し画像データ等をサーバー２に自動送信する専用プログラム１０を備えた介護者側ＰＣ４と医師側ＰＣ５のコンピュータ装置において、介護者側ＰＣ４からサーバー２に対して被介護者４ｃの画像データ等を画像・音声送信画面１０ａを送信する送信手段と、被介護者４ｃが緊急の場合医師５ｃ等にナースコール等を行う第２送信手段とからなり、サーバー２から医師側ＰＣ５で前記画像データ等を受信し、受信した画像・音声受信画面１１又は閲覧画面１２をディスプレイ９ａ等に表示し閲覧できる閲覧手段と、前記画像・音声受信画面１１に文字情報からなるメッセージをキーボード８ａ等で入力し、画像・音声送信画面１１ａとしてサーバー２、介護者側ＰＣ４に再度自動送信し、介護者側ＰＣ４のディスプレイ９ａに表示できるメッセージ送受信手段とからなることを特徴とする在宅介護システムの構成とした。
【００１１】
サーバー２は、介護者側ＰＣ４の画像データ等の自動送信を行う送信時間を制御するための制御部２ａと、介護者側ＰＣ４からサーバー２まで自動送信された画像データが医師側ＰＣ５の指定時間に送信されているかどうかの正誤性を判断するＣＰＵ２ｂと、記憶装置２ｃとからなる。
【００１２】
サーバー２の設置場所は、病院内のコンピューターを一括管理するシステム管理室や病院のコンピューターシステムを管理するシステム管理会社等が好ましい。サーバー２の管理はシステム管理会社の管理者が行う。なお、サーバー２の設置場所は管理できる管理者２ｇがいればよいため、サーバー２の設置場所を限定するものではない。
【００１３】
記憶装置２ｃは、被介護者４ｃの画像を録画し、画像データとした画像ファイル２ｄと、被介護者４ｃの音声を録音し録音データとした音声ファイル２ｅと、医師５ｃから被介護者４ｃや被介護者４ｃを介護する介護者４ｄ等に文字情報である会話等をキーボード等で入力したメッセージファイル２ｆとからなり、介護者側ＰＣ４はサーバー２に画像データ等を自動送信するタイマー機能付きの専用プログラム１０を備え、介護者側ＰＣ４からパスワード等の認定を受けた介護者側ＰＣ４だけが医師側ＰＣ５のメッセージ等をダウンロードできることを特徴とする。
【００１４】
また前記サーバー２は、通信相手である介護者側ＰＣ４等の台数を制限でき、介護者側ＰＣ４に専用プログラム１０を使用させることで、医師５ｃが指定した一定の時間に自動送信された画像データ等を受信することができる。そして前記専用プログラム１０を使用してサーバー２は画像を受信することで、介護者側ＰＣ４はインターネット３通信時に画像データ等をハッキングされる恐れがなく、インターネット３上で画像データ等の授受に関わるセキュリティーを固めることができることを特徴とする。なお、前記セキュリティーをより固めるためにＳＳＬ等の暗号技術を本システムである在宅介護システムに組み込むこともできる。
【００１５】
なお、専用プログラム１０とは、医師５ｃが一定の時間に指定した被介護者４ｃの画像データと音声データ等を、画像音声送信画面１０ａを使用して、サーバー２に自動送信し、記録装置に保存できるプログラムである。画像データ、音声データを一定時間の間隔で送信できるタイマー１０ｂを内蔵している。
【００１６】
タイマー１０ｂとは、介護者側ＰＣ４の標準ＯＳであるＬＩＮＵＸ（登録商標）に内蔵されたタイマーを使用する。そして、画像データ、音声データの送信手段はファイル転送プロトコルであるＰｅｒｌ、ｇｃｃ、ｓｈ、Ｓｃｐ、ｆｔｐ等のソフトウェアーを使用する。
【００１７】
サーバー２に接続したインターネット３通信回線は、２４時間常時接続できる電気通信回線であればよく、電話回線又は光ファイバー回線いずれを問わない。次に介護者側ＰＣ４と、医師側ＰＣ５の構成を説明する。
【００１８】
介護者側ＰＣ４は、被介護者４ｃが常時いる被介護者４ｃ宅の部屋や、病院の病室等に備えられ、本体４ａと、本体４ａに接続した被介護者４ｃの動き等を監視するためのカメラや監視装置を備えた入力部６と、同じく本体４ａに接続しカメラ等６ａで撮影した後の画像データを出力できるディスプレイ７ａを備えた出力部７とからなる。
【００１９】
また、介護者側ＰＣ４は２４時間常時接続できるインターネット３通信回線に接続されている。なお、被介護者４ｃ宅に備えられた介護者側ＰＣ４に代わり、持ち運び容易でインターネット３に接続できるカメラ付きの携帯電話等４ｂを使用してもよい。次に介護者側ＰＣ４を構成するカメラや測定機器等からなる入力部６とディスプレイからなる出力部７について詳細を説明する。
【００２０】
介護者ＰＣ４の入力部６は、被介護者４ｃの画像データ等を取得するための監視装置である。入力部６は、被介護者４ｃが常時いる介護者４ｃ宅の天井等に設け、被介護者４ｃを撮影することで、画像データ等を取得できるカメラ等６ａと、前記カメラ等６ａで被介護者４ｃの表情を撮影する際、被介護者４ｃの音声を音声データとして録音できるマイク６ｂと、カメラ等６ａの設置した後、介護者４ｄ又は被介護者４ｃがカメラ等６ａを手動操作等できる入力装置６ｃと、前記カメラ等６ａで撮影する際、被介護者４ｃの顔の表情等を照らすライト６ｄと、前記カメラ等６ａで撮影できない被介護者４ｃの体の内部の状態を監視する測定機器６ｅを備えている。なお、介護者側ＰＣ４は、送信手段及び第２送信手段によって医師側ＰＣ５に画像データ等を送信することができる。
【００２１】
入力部６を構成するカメラ等６ａは、介護者側ＰＣ４の本体４ａに設けたＵＳＢ接続部分に接続できるデジタルカメラ等である。使用メーカ及び使用機種は、ＥｌＥＣＯＭ社のＵＣＡＭ−Ｃ１Ｃ３０ＳＶ、ＮＯＶＡＣ社のＮＶ−ＵＳ１５０、Ｗａｔｅｃ社のＷＡＴ−２４０Ｒ  Ｇ−３．８等である。
【００２２】
また被介護者４ｃの動画を撮影できる前記デジタルカメラに代わり、ＣＣＤカメラ、ビデオカメラ等を使用してもよい。また、動画に限らず、静止画像である場合もＣＣＤカメラと併用してスチールカメラ等を使用することができる。なお、画像データは、介護者側ＰＣ４の内部に設けたアナログデジタル変換器（Ａ／Ｄ変換器）によって静止画像をデジタル化することができる。
【００２３】
カメラ等６ａの代わりに、ＵＳＢキャプチャーカードを使用し画像データ本体４ａに取り込むことができる。またマイク６ｂは介護者側ＰＣ４の本体４ａに設けたＵＳＢ接続部分に接続し、介護者側ＰＣ４の本体４ａ内部に音声データであるＭＰ３を取り込むことができればよい。
【００２４】
入力装置６ｃとは、市販品のジョイステックコントローラーである。介護者側ＰＣ４の本体４ａのＵＳＢ接続部分に接続し、前記カメラ等６ａを遠隔操作するためのコントローラーである。なお、入力装置６ｃの詳細は図５で説明する。また、ライト６ｄは、被介護者４ｃの表情をよりはっきり照らすために、卓上ライト等を使用する。次に、測定機器６ｅの詳細について説明する。
【００２５】
測定機器６ｅは、前記介護者側ＰＣ４に接続し前記カメラ等６ａで撮影できない被介護者４ｃの体の内部の状態を監視できる機器で、被介護者４ｃの体に直接取り付ける場合の第１測定機器、第２測定器と、被介護者４ｃの体に直接取り付けない場合の第３測定機器を備えたことを特徴とする。
【００２６】
被介護者４ｃの体に直接取り付ける場合の測定機器６ｅを構成する第１測定器とは、被介護者４ｃの失禁等を感知するために被介護者４ｃのオムツへ取り付けるオムツの湿度センサー、前記オムツ等の被介護者４ｃの衣服等へ取付け、被介護者４ｃの徘徊を防止すると共に、現在位置を知らせる人体感知センサーを備えたことを特徴とする。
【００２７】
即ち、第１測定器であるオムツセンサー等を被介護者４ｃの腰部等に取り付けることで、管理者である医師５ｃ、医院、病院等医療機関に対し、被介護者４ｃを管理できる介護者側ＰＣ４の第１測定器を提供することができる。
【００２８】
また、被介護者４ｃの体に直接取り付ける場合の測定機器６ｅを構成する第２測定器とは、被介護者４ｃ、特に疾病を持つ被介護者４ｃの体に取り付ける測定機器であり、被介護者４ｃの腕等に取り付け脈拍等を調べる血圧計と、前記血圧計の使用と併せて使用し、被介護者４ｃの皮膚表面に取り付け血管中の酸素濃度を調べる酸素分圧計と、酸素分圧計と併せて使用し、被介護者４ｃの血管中の血糖値を調べる検査機器である血糖測定器等からなることを特徴とする。前記血圧計は、デジタル式で腕を固定するもの、指先を固定するものいずれを使用してもよい。
【００２９】
第２測定器である酸素分圧計とは、血管中の酸素濃度を調べる検査機器で経皮ガスモニタと、前記経皮ガスモニタに接続し、被介護者４ｃの皮膚表面に取り付けたセンサーとからなる装置である。また血糖測定器とは、被介護者４ｃの指先に取り付け、血管中の血糖値を調べる検査機器で、モニターと、モニターの先に設けた穿刺用の針と、モニターの先端部分に取り付けたセンサーとからなる装置である。穿刺用の針は、被介護者４ｃの指先から０．００５ｃｃ程採血し、血糖値を調べることができればよい。
【００３０】
即ち、第２測定器である血圧計、酸素分圧計、血糖測定器等を疾病を持つ被介護者４ｃの腕や指先に取り付けることで、管理者である医師５ｃ、医院、病院等医療機関の医師側ＰＣ５に対し、疾病を持つ被介護者４ｃの管理できる介護者側ＰＣ４に接続した第２測定器を提供することができる。
【００３１】
被介護者４ｃの体に直接取り付けない場合の第３測定器とは、痴呆症の被介護者４ｃの屋外への徘徊を防止し、被介護者４ｃ宅の玄関のドア部分に取付ける開閉感知センサーや、前記開閉感知センサーと併せて被介護者４ｃ宅の玄関のドアの上部や屋内の天井の四隅に設け、家族である介護者４ｄが外出した際に被介護者４ｃが屋外へ徘徊することを監視するための赤外線センサーとからなる。
【００３２】
即ち、第３測定器を構成する開閉感知センサー及び赤外線センサーを被介護者４ｃ宅の玄関のドア部分などに取り付け、被介護者４ｃの体温に反応するよう各センサーを設け、携帯電話等４ｂに転送することで、被介護者４ｃの徘徊を防止し、管理者である家族、介護事業所、警察、民生医院等に対して、痴呆を持つ被介護者４ｃの徘徊監視通報装置して介護者側ＰＣ４に接続した第３測定器を提供できる。
【００３３】
また介護者側ＰＣ４に測定機器６ｅを接続することで、医師５ｃは、被介護者４ｃの家族や介護ヘルパー等の介護者４ｄの報告を受けてから、病院の医師側ＰＣ５等で被介護者４ｃの様子を確認することができるため、医師５ｃの診断遅れを防止し、被介護者４ｃの病状等の悪化を防ぐこともできる。
【００３４】
即ち、測定機器６ｅは、医師５ｃ等の管理者によって管理されているため、被介護者４ｃの家族等、介護ヘルパー等の精神的負担及び、被介護者４ｃの家族の経済的負担を大幅に減らすことができる。なお、本発明で使用する測定機器６ｅは、介護者４ｄ等が用事などで急遽外出しなければならない場合でも、介護者４ｄの携帯電話等４ｂや、医師５ｃの携帯電話５ｂに測定機器６ｅ等の記録を転送できる送信機等を備えている。
【００３５】
次に、介護者側ＰＣ４から被介護者４ｃの画像データを一定の撮影間隔でサーバー２及び医師側ＰＣ５に送信する送信手段と、被介護者４ｃが緊急の場合医師５ｃ等にナースコールを行う第２送信手段の詳細を説明する。
【００３６】
送信手段とは、介護者側ＰＣ４で行う手段であり、医師側ＰＣ５で予め設定した被介護者４ｃの画像データを、一定の時間に自動的にサーバー２へ送信できる手段である。画像データを送信する送信手段を行うためには、予めサーバー２からインターネット３を介して専用プログラム１０を介護者側ＰＣ４の本体４ａにダウンロードし、介護者側ＰＣ４の本体４ａにインストールする仕組みである。
【００３７】
介護者側ＰＣ４の代わりにインターネット３に接続できるカメラ付き等の携帯電話等４ｂを使用してもよい。第２送信手段は、図８に示した閲覧画面１２上に、被介護者４ｃの容態の急変を医師５ｃに知らせるためのナースコール１２ｆボタンを表示させる手段である。次に医師側ＰＣ５の説明をする。
【００３８】
医師側ＰＣ５は、被介護者４ｃを担当する医師５ｃが常駐する病院等に備えられている。そして医師側ＰＣ５の構成は、本体５ａと、本体５ａに接続した入力部８と出力部９とからなり、入力部８にキーボード８ａを設けている。なお、病院に備えられた医師側ＰＣ５に代わり、持ち運び容易でインターネット３に接続できるカメラ付きの携帯電話等５ｂを使用してもよい。
【００３９】
また前記医師側ＰＣ５に接続した出力部９は、受信した被介護者４ｃの画像データの表示するディスプレイ９ａと、被介護者４ｃの音声データを出力するスピーカー９ｂを備え、サーバー２に一定の間隔で自動送信した画像データを医師５ｃ等の管理者が医師側ＰＣ５で受信し、受信した画像・音声受信画面１１と閲覧画面１２をディスプレイ９ａ等に表示し閲覧できる閲覧手段と、前記画像・音声受信画面１１に文字情報からなるメッセージをキーボード８ａ等で入力し、画像・音声送信画面１１ａとしてサーバー２を介した介護者側ＰＣ４に再度自動送信し、介護者側ＰＣ４で受信し、ディスプレイ９ａに表示できるメッセージ送受信手段とからなることを特徴とする。
【００４０】
図１の右部に示した画像・音声受信画面１１は、医師５ｃの医師側ＰＣ５で画像データ、音声データを受信する画面である。一方の画像・音声送信画面１１ａは、前記画像・音声受信画面１１に、医師５ｃがキーボード８ａで文字情報であるメッセージで入力し、再び介護者側ＰＣ４に送信する画面である。
【００４１】
閲覧手段は、医師５ｃが医師側ＰＣ５で行う手段であり、閲覧手段を構成する画像・音声受信画面１１と、閲覧画面１２からなる。画像・音声受診画面１１は、被介護者４ｃ１人の画像を閲覧できる画面であるのに対し、閲覧画面１２は２人以上の被介護者４ｃを同時に閲覧できる画面である。
【００４２】
メッセージ送受信手段とは、医師５ｃが医師側ＰＣ５で行う手段であり、送受信手段は画像・音声受信画面１１に医師５ｃが文字入力であるメッセージを入力することで、画像・音声送信画面１１ａにし、介護者側ＰＣ４に自動送信する手段である。メッセージ送受信手段で画像・音声送信画面１１ａを送る場合、医師５ｃは、サーバー２を管理する管理元が発行した専用のパスワード等を入力しなければならない。
【００４３】
よって、本発明である在宅介護システムでは、医師５ｃが被介護者４ｃ宅を直接訪問しなくても、医師側ＰＣ５を使用することで、被介護者４ｃを遠隔地で監視することができる。また、医師５ｃは被介護者４ｃ及び介護者４ｄ、並びに被介護者４ｃの家族に対し、迅速な介護指示を介護者側ＰＣ４のディスプレイ７ａを通じ、介護者４ｄに与えることができる。
【００４４】
次に、図２では、本発明である在宅介護システムのフローチャートに従って医師５ｃが画像データ等を取得する際の手順等について詳細を説明する。図２は本システムのフロー１ａを示した。まず、医師５ｃ又は介護者４ｄは被介護者４ｃの画像データを取得するために、本システムの「開始（ＳＴＡＲＴ）」Ｓ１、「画像の録画、音声の録音」Ｓ２から始める。すると、被介護者４ｃの画像の録画、音声の録音を自動的に行う仕組みである。画像の録画、音声の録音は介護者側ＰＣ４の本体４ａに接続したカメラ等６ａや、マイク６ｂを使用する。
【００４５】
そして、介護者側ＰＣ４では、本体４ａの内部に記憶したタイマー機能を有した専用プログラム１０を使用し、サーバー２に画像データ等を送信する。サーバー２に送信した被介護者４ｃの画像データや音声データは、サーバー２内部の記憶装置２ｃを構成する画像ファイル２ｄ、音声ファイル２ｅ、メッセージファイル２ｆである各ファイルに格納するＳ３。
【００４６】
医師５ｃは、介護者側ＰＣ４から口頭や書類報告で表情を逐次監視したい前記画像データや音声データを呼び出せる画像の呼出・音声の呼出Ｓ４を行い、呼び出した画像（データ）、音声（データ）に、メッセージを入力Ｓ５することで、サーバー２の各ファイルに格納Ｓ６し、介護者側ＰＣ４は、メッセージを呼出Ｓ７することで、介護者側ＰＣ４のディスプレイにメッセージを表示Ｓ９し、終了（ＥＮＤ）Ｓ９となる。
【００４７】
図３は、本発明である在宅介護システムの画像データ等の送信方法のフローチャートである。即ち、図３に示したのは、画像データや音声データを、サーバー２の画像ファイル２ｄ、音声ファイル２ｅ、メッセージファイル２ｆに格納したＳ３後に、サーバー２の制御部２ａで自動的に撮影時間等を判断し、介護者ＰＣ４から、サーバー２に画像データ等を自動送信するための画像データ等の送信方法Ｓ１０のフローチャートである。
【００４８】
図３に示したように、介護者側ＰＣ４の画像データは、医師５ｃの指定した撮影時間にサーバー２に送信する。そしてサーバー２の制御部２ａでは、一定の時間に撮影を開始する「ループ開始Ｓ１１」を行い、一定時間が経過しているか？Ｓ１２等の判断を自動的に行うことで、一定の時間の撮影を終了し、「ループ終了Ｓ１３」又は、撮影処理及び画像送信Ｓ１４を医師側ＰＣ５に対し行う。
【００４９】
図４は、本発明である在宅介護システムを構成する画像・音声受信画面である。図４では、医師５ｃが特定のＵＲＬアドレスにアクセスし、表示できるＷｅｂ画面、即ち、介護者側ＰＣ４から医師側ＰＣ５に自動送信する被介護者４ｃの画像データ等である画像・音声受信画面１１と、図５では、医師側ＰＣ５から介護者側ＰＣ４に送信した医師５ｃのメッセージ等である画像・音声送信画面１１ａの詳細を説明する。
【００５０】
図４に示した画像・音声受信画面１１は、左部から被介護者４ｃの寝ている様子を右斜めの角度から撮影し、ディスプレイ等に表示した最新の画像１１ｂと、被介護者４ｃの音声をマイク等で記録し、音声ファイルであるＭＰ３で録音できる音声ファイル１１ｃと、右部に示した撮影年月及び静止画像の撮影間隔を示す撮影時刻表示１１ｄ、各ボタン１１ｅとからなることを特徴とする。
【００５１】
最新の画像１１ｂとは、被介護者４ｃの姿を図１に示したカメラ等６ａで撮影した画像データであり、被介護者４ｃが常に滞在する居間や、病院等の病室のように撮影場所は限定しない。音声ファイル１１ｃとは、図１に示したマイク６ｂで録音した被介護者４ｃの声をサーバー２の音声ファイル２ｅから自動的に取り出せるファイルである。音声ファイル１１ｃはＭＰ３であることを特徴とする。
【００５２】
画像・音声受信画面１１の右上に示した撮影時刻表示１１ｄとは、被介護者４ｃを撮影した西暦年月、日時分秒まで表示する。各ボタン１１ｅの構成は、過去画像取得ボタン１１ｆと、画像取得ボタン１１ｇ、メッセージ送信枠１１ｈと、撮影間隔の変更１１ｉとからなる。
【００５３】
過去画像取得ボタン１１ｆは、サーバー２の記録装置２ｃの画像ファイル２ｄに、撮影時刻表示１１ｄ毎に格納した被介護者４ｃの過去の画像データを閲覧するためのボタンである。また画像取得ボタン１１ｇは、医師５ｃが希望した日時分、若しくは３００分、１５０分、６０分、３０分、１５分、１０分、１分間隔のように一定の時間の間隔、即ち分単位で被介護者４ｃの画像データを取得できる。
【００５４】
メッセージ送信枠１１ｈは、医師５ｃが被介護者４ｃや介護者４ｄに、簡単なメッセージを送信する前に確認のため表示する枠である。メッセージ送信枠１１ｈは、１文字から３０文字以内の全角文字を表示することを原則とし、例外として３０文字以上５０文字以下のように文字数を変更することもできる。入力文字は、全角ひらがな、全角カタカナ、全角英数、半角のように自由な入力形式で入力を行うことができる。
【００５５】
撮影間隔の変更１１ｉは、被介護者４ｃの撮影時間等を任意の時間に変更するための変更枠である。任意の時間に変更するとは、図４の下部の撮影間隔の変更１１ｉに示したように「３０」分間隔、若しくは１分単位で変更することができる。
【００５６】
図５は、本発明である在宅介護システムを構成する画像・音声送信画面である。次に図５では、医師側ＰＣ５から介護者ＰＣ４にメッセージ等を送信する画像・音声送信画面１１ａについて説明する。
【００５７】
図５に示した画像、・音声送信画面１１ａは、介護者側ＰＣ４から送信されてきた画像・音声受信画面１１を医師側ＰＣ５で受信し、被介護者４ｃの最新の画像１１ｂ等を確認することで、メッセージ送信枠１１ｈに文字情報である医師５ｃのメッセージを入力し、表示できる画面である。図５に示したように、最新の画像１１ｂと、音声ファイル１１ｃ、撮影時刻表示１１ｄと、各ボタン１１ｅからなる。なお、最新の画像１１ｂ等の詳細な説明は省略する。
【００５８】
画像・音声送信画面１１ａは、各ボタン１１ｅを構成するメッセージ送信枠１１ｈの下部に示したボックス内部には、「大丈夫？」等のように、医師５ｃから被介護者４ｃに対してメッセージである文字入力を行い、ディスプレイ９ａ等に表示し、医師５ｃ自らが介護者側ＰＣ４に送信するメッセージを確認できる。
【００５９】
よって医師５ｃは、被介護者４ｃ宅に直接訪問しなくても図４に示した画像・音声受信画面１１を医師側ＰＣ５で受診することで、被介護者４ｃの表情等の画像データを取得できると共に、取得した画像・音声受信画面１１を構成するメッセージ送信枠１１ｈに被介護者４ｃの表情等を得ることができ、画像データから読み取った医師５ｃの診断結果やメッセージを文字入力し、図５に示した画像、・音声送信画面１１ａとして介護者側ＰＣ４に送信することができる。
【００６０】
図６は、本発明である在宅介護システムを構成する入力装置の正面図である。図６では、前記画像・音声送信画面１１を介護者側ＰＣ４から送信する際使用する入力装置６ｃについて詳細を説明する。なお、介護者側ＰＣ４の本体４ａにＵＳＢ接続ケーブルで接続する。
【００６１】
図６に示したように、入力装置６ｃの形状は、被介護者４ｃや、家族等の介護者４ｄが簡単に操作でき、かつ、操作しやすく、室内で持ち運びできる略弧状の形状とした。入力装置６ｃの構成は、右部の数字で示した第１ボタン６ｆ、第２ボタン６ｇ、第３ボタン６ｈ、第４ボタン６ｉと、第５ボタン６ｊとからなる。
【００６２】
前記第１ボタン６ｆと、第２ボタン６ｇは、図１に示したカメラ等６ａで、被介護者４ｃを撮影する際、被介護者４ｃのベット上部の天井等に設けたライト６ｄを点灯させるためのＯＮ、ＯＦＦスイッチである。なお、第３ボタン６ｈは、被介護者４ｃ又は介護者４ｄが手動で画像データや音声データを録画、録音する場合に使用するボタンである。また医師５ｃは被介護者４ｃが任意で画像データや音声データの取得を停止できるボタン等を前記入力装置６ｃに取り付けることができる。
【００６３】
第４ボタン６ｉは、被介護者４ｃの容態が急変した場合に医師５ｃや介護者４ｄである看護師を早急に呼ぶためのナースコールボタンである。前記ナースコールボタンに関する表示は図７及び図８で詳細を説明する。なお、第５ボタン６ｊは、医師５ｃからの文字情報であるメッセージを介護者側ＰＣ４のディスプレイ７ａで確認した後に、前記文字情報を介護者側ＰＣ４のディスプレイ７ａから消去するためのボタンである。
【００６４】
本発明で使用する入力装置６ｃは、形状及びボタン数を限定するものではない。よって、介護者側ＰＣ４の介護者４ｃの家族等は、より安価で、使いやすい市販品の入力装置６ｃを購入し、介護者側ＰＣ４の本体４ａのＵＳＢ接続部に接続し使用することができる。
【００６５】
図７は、本発明である在宅介護システムを構成する画像・音声送信画面である。
図７では、介護者側ＰＣ４の入力装置６ｃの操作内容を、介護者４ｄ等が、ディスプレイ７ａで確認できる画像・音声送信画面１０ａについて説明をする。
【００６６】
図７に示した画像・音声送信画面１０ａは、入力装置６ｃで示した被介護者４ｃの画像データ、医師５ｃからのメッセージ等を、被介護者４ｃ自身や、被介護者４ｃの家族等である介護者４ｄが、介護者側ＰＣ４のディスプレイ７ａ等で確認できる画面である。
【００６７】
画像・音声送信画面１０ａとは、左上部には被介護者４ｃ自らの画像データを確認できる画像部１０ｃと、医師５ｃからのメッセージをディスプレイ表示したメッセージ部１０ｄと、各ボタン部１０ｅとからなり、特に各ボタン部１０ｅには、被介護者４ｃの容態が急変した場合に医師５ｃを迅速に呼ぶことができるナースコールボタン１０ｆを設けている。また、被介護者４ｃや、介護者４ｄが医師５ｃのメッセージをディスプレイ７ａで確認した後に押す「メッセージの確認ボタン１０ｇ」、メッセージの表示ボタン１０ｈを備えている。
【００６８】
なお、画像部１０ｃに表示できる画像データは、被介護者４ｃ自らの画像データを表示するためだけに限定するものではない。具体的には、図１に示した介護者側ＰＣ４で使用したものと同一のＵＳＢ接続できるカメラ等６ａを医師側ＰＣ５に取り付けることで、医師５ｃの顔写真等の画像データを、介護者側ＰＣ４の画像・音声送信画面１０ａで送信することができる。
【００６９】
図８は、本発明である在宅介護システムを構成する閲覧画面である。図８では医師側ＰＣ５で、前記画像・音声送信画面１０ａを構成するナースコールや、図５で説明した画像データから読み取った医師５ｃの診断結果及び医師５ｃがメッセージ等を複数の介護者側ＰＣ４に送信等できる閲覧画面１２の説明をする。
【００７０】
図８に示した閲覧画面１２は、医師５ｃが１台の医師側ＰＣ５を使用することで、２台以上の介護者側ＰＣ４を管理する場合に使用する画面である。図８に示したように閲覧画面１２は、左部から被介護者４ｃが緊急を要する場合に表示する略楕円状のナースコール１２ｆ表示を備えた被介護者の名前１２ａと、被介護者の名前１２ａ毎に表示できる過去の画像取得ボタン１２ｂと、選択した被介護者４ｃにメッセージを送信できるメッセージ送信枠１２ｃと、被介護者４ｃの体に直接取り付けた測定機器６ｅを構成する第２測定器を構成する血圧計で計測した心拍数１２ｄ（ＢＰＭ）と、酸素分圧計で計測した血中酸素濃度（ＳＰＯ２）（１２ｅ）とからなることを特徴とする。
【００７１】
被介護者側の名前１２ａは、ナースコール１２ｆの下部の位置にあり、当該被介護者の名前１２ａの位置を医師５ｃがクリックすることで、図４に示した画像・音声送信画面１１を閲覧できるボタンである。過去画像取得ボタン１２ｂ、メッセージ送信枠１２ｃは、図４に示した過去画像取得ボタン１１ｂ、メッセージ送信枠１１ｃと同一のため説明は省略する。また、心拍数１２ｄは、血圧計、酸素分圧計等を使用し、前記血中酸素濃度（ＳＯ２）１２ｅは血糖測定器等を使用する。
【００７２】
ナースコール１２ｆ表示とは、図６に示した介護者側ＰＣ４の第４ボタン６ｉ、即ちナースコールボタンと直接連動し、表示する仕組みである。ナースコール１２ｆ表示は、第４ボタン６ｉを１回押すことで表示し、再度押すことで、ナースコール１２ｆ表示を閲覧画面１２から消すことができる。
【００７３】
また、閲覧画面１２に表示されていないが、介護者側ＰＣ４の入力部４ａに接続した測定機器６ｅである第１測定器のオムツの湿度センサー、人体感知センサー、第２測定器の血圧計、酸素分圧計、血糖測定器、第３測定器の開閉感知センサー、赤外線センサー等を閲覧画面１２上に表示することもできる。
【００７４】
即ち、医師５ｃは、被介護者４ｃの家族や介護ヘルパー等の介護者４ｄの報告を逐次受けてから直接訪問するのではなく、被介護者４ｃの様子を医師５ｃ自ら確認し、被介護者４ｃの容態によっては、介護指示等を介護者ＰＣ４に直接与えることができるため、医師５ｃの診断遅れを防ぎ、被介護者４ｃの病状等の悪化を防止できる。
【００７５】
【発明の効果】
本発明は、以上に説明したような構成であるから以下の効果を得ることができる。第１に、本発明である在宅介護システムは、医師と被介護者や介護者と患者情報を書き込んだ記録帳として保存せず、被介護者の家族や介護ヘルパー等の介護者の報告を受けてから医師が直ちに医師側ＰＣで被介護者の様子を監視できるため、迅速に介護ヘルパーに介護指示等を行うことができるとともに、医師の介護診断が遅れない、被介護者の症状を向上できる在宅介護システムを提供することができる。
【００７６】
第２に本発明である在宅介護システムは、被介護者の家族等や介護ヘルパーである介護者の多大なる精神的負担を軽減できるとともに、被介護者にかかる介護費用を大幅に軽減することができる。
【００７７】
第３に本発明である在宅介護システムを構成する専用プログラム及び装置は、既存のＰＣを使用できるため、導入コストがかからず、被介護者の画像データをサーバーに自動送信するシステムを、地震等の震源の観測や、季節ごとに異なる農作物の監視、電気料金、水道料金の監視等の従来人の監視を要していた場所に、安価な無人監視システムを提供することができる。
【図面の簡単な説明】
【図１】本発明である在宅介護システムを構成する構成機器を示した構成図である。
【図２】本発明である在宅介護システムのフローチャートである。
【図３】本発明である在宅介護システムの画像データ等の送信方法のフローチャートである。
【図４】本発明である在宅介護システムを構成する画像・音声受信画面である。
【図５】本発明である在宅介護システムを構成する画像・音声送信画面である。
【図６】本発明である在宅介護システムを構成する入力装置の正面図である。
【図７】本発明である在宅介護システムを構成する画像・音声送信画面である。
【図８】本発明である在宅介護システムを構成する閲覧画面である。
【符号の説明】
１      在宅介護システム
１ａ    本システムのフロー
２      サーバー
２ａ    制御部
２ｂ    ＣＰＵ
２ｃ    記憶装置
２ｄ    画像ファイル
２ｅ    音声ファイル
２ｆ    メッセージファイル
２ｇ    管理者
３      インターネット
４      介護者側ＰＣ
４ａ    本体
４ｂ    携帯電話等
４ｃ    被介護者
４ｄ    介護者
５      医師側ＰＣ
５ａ    本体
５ｂ    携帯電話等
５ｃ    医師
６      入力部
６ａ    カメラ等
６ｂ    マイク
６ｃ    入力装置
６ｄ    ライト
６ｅ    測定機器
６ｆ    第１ボタン
６ｇ    第２ボタン
６ｈ    第３ボタン
６ｉ    第４ボタン
６ｊ    第５ボタン
７      出力部
７ａ    ディスプレイ
８      入力部
８ａ    キーボード
９      出力部
９ａ    ディスプレイ
９ｂ    スピーカー
１０    専用プログラム
１０ａ  画像・音声送信画面
１０ｂ  タイマー
１０ｃ  画像部
１０ｄ  メッセージ部
１０ｅ  各ボタン部
１０ｆ  ナースコールボタン
１０ｇ  メッセージの確認ボタン
１０ｈ  メッセージの表示ボタン
１１    画像・音声受信画面
１１ａ  画像・音声送信画面
１１ｂ  最新の画像
１１ｃ  音声ファイル
１１ｄ  撮影時刻表示
１１ｅ  各ボタン
１１ｆ  過去画像取得ボタン
１１ｇ  画像取得ボタン
１１ｈ  メッセージ送信枠
１１ｉ  撮影間隔の変更
１２    閲覧画面
１２ａ  被介護者側の名前
１２ｂ  過去画像取得ボタン
１２ｃ  メッセージ送信枠
１２ｄ  心拍数
１２ｅ  血中酸素濃度
１２ｆ  ナースコール
Ｓ１    開始（ＳＴＡＲＴ）
Ｓ２    画像の録画・音声の録画
Ｓ３    各ファイルに格納
Ｓ４    画像の呼出、音声の呼出
Ｓ５    呼出した画像、音声にメッセージを入力
Ｓ６    各ファイルに格納
Ｓ７    メッセージの呼出
Ｓ８    ディスプレイに表示
Ｓ９    終了（ＥＮＤ）
Ｓ１０  画像データ等の配信方法
Ｓ１１  ループ開始
Ｓ１２  一定時間が経過しているか？
Ｓ１３  ループ終了
Ｓ１４  撮影処理及び画像送信
【図１】
2004318757.tif 000003
【図２】
2004318757.tif 000004
【図３】
2004318757.tif 000005
【図４】
2004318757.tif 000006
【図５】
2004318757.tif 000007
【図６】
2004318757.tif 000008
【図７】
2004318757.tif 000009
【図８】
2004318757.tif 000010